(57)【要約】【課題】光ピックアップ装置の光軸合わせ作業を効率化する。【解決手段】底面及び側面を有し上面が開放されたハウジングと、ハウジング内に装着されレーザ光を底面に沿った方向に発光するレーザユニットと、ハウジング内に装着されレーザ光の光路上に配置される光学部品と、制御回路に接続されるコネクタと、制御回路から出力される制御信号に応じてレーザユニットを発光させるための駆動信号を出力するレーザドライバと、レーザユニットに上面の側から重なるようにハウジングに装着されると共にコネクタからレーザドライバへ制御信号を伝達する第１導電路と、レーザドライバからレーザユニットに駆動信号を伝達する第２導電路と、が形成されたリジッド基板と、を備え、リジッド基板はさらにハウジングの底面に相対する面とは反対側の面に第２導電路に導通し、駆動信号を入力するための端子を有して構成される光ピックアップ装置。【選択図】図７
2014017028.tif 000002
【特許請求の範囲】
【請求項１】
底面及び前記底面を囲む側面を有し、上面が開放されたハウジングと、
前記ハウジング内に装着され、光ディスクに対する情報の記録及び読み出しを行なうためのレーザ光を前記底面に沿った方向に発光するレーザユニットと、
前記ハウジング内に装着され、前記レーザ光の光路上に配置される光学部品と、
前記レーザユニットの制御を行う制御回路に接続されるコネクタと、
前記制御回路から出力される制御信号に応じて前記レーザユニットに前記レーザ光を発光させるための駆動信号を出力するレーザドライバと、
前記レーザユニットに前記上面の側から重なるように前記ハウジングに装着されると共に、前記コネクタから前記レーザドライバへ前記制御信号を伝達する第１導電路と、前記レーザドライバから前記レーザユニットに前記駆動信号を伝達する第２導電路と、が形成されたリジッド基板と、
を備え、
前記リジッド基板は、さらに、前記ハウジングの前記底面に相対する第１の面とは反対側の第２の面に、前記第２導電路に導通し、前記駆動信号を入力するための端子を有して構成される
ことを特徴とする光ピックアップ装置。
【請求項２】
請求項１に記載の光ピックアップ装置であって、
前記リジッド基板は、さらに、前記レーザユニットにグランド電圧を提供する第３導電路が形成されてなると共に、前記第２の面に、前記端子である第１端子と、前記第３導電路に導通し、前記レーザユニットにグランド電圧を提供するための第２端子と、が形成されてなる
ことを特徴とする光ピックアップ装置。
【請求項３】
請求項１又は２に記載の光ピックアップ装置であって、
前記リジッド基板は、さらに、前記レーザドライバを機能させるための電源電圧を前記レーザドライバに提供する第４導電路が形成されてなると共に、前記第２の面に、前記端子である第１端子と、前記第４導電路に導通し、前記レーザドライバに電源電圧を提供するための第３端子と、が形成されてなる
ことを特徴とする光ピックアップ装置。
【請求項４】
請求項１〜３のいずれかに記載の光ピックアップ装置であって、
前記レーザユニットは、第１波長を有する第１レーザ光と、前記第１波長よりも長い第２波長を有する第２レーザ光と、を選択的に発光し、
前記レーザドライバは、前記制御回路から出力される第１制御信号に応じて前記レーザユニットから前記第１レーザ光を発光させるための第１駆動信号を出力し、前記制御回路から出力される第２制御信号に応じて前記レーザユニットから前記第２レーザ光を発光させるための第２駆動信号を出力し、
前記リジッド基板は、前記コネクタから前記レーザドライバへ前記第１制御信号を伝達する前記第１導電路と、前記レーザドライバから前記レーザユニットに前記第１駆動信号を伝達する第２導電路と、前記コネクタから前記レーザドライバへ前記第２制御信号を伝達する前記第５導電路と、前記レーザドライバから前記レーザユニットに前記第２駆動信号を伝達する第６導電路と、が形成されてなる
ことを特徴とする光ピックアップ装置。
【請求項５】
請求項４に記載の光ピックアップ装置であって、
前記リジッド基板は、さらに、前記第２の面に、前記端子である第１端子と、前記第６導電路に導通し、前記第２駆動信号を入力するための第４端子と、が形成されてなる
ことを特徴とする光ピックアップ装置。
【請求項６】
請求項１〜５のいずれかに記載の光ピックアップ装置であって、
前記リジッド基板を前記ハウジングの前記上面の側から覆うように前記ハウジングに装着されるカバーをさらに備えることを特徴とする光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
近年の技術進歩に伴って、ＤＶＤ(Digital Versatile Disc)やＣＤ（Compact Disc）等の光ディスクに対してレーザ光を用いて光学的に信号の記録再生を行う光ピックアップ装置の薄型化が進んでいる。  
例えば、一般的にスリムタイプと呼ばれる光ピックアップ装置の場合は、厚さが12.7mmであり、ウルトラスリムタイプと呼ばれる光ピックアップ装置の場合は、厚さが9.5mmである。  
また薄型の光ピックアップ装置に関して様々な技術が開発されている（例えば特許文献１参照）。
【先行技術文献】
【特許文献】
【０００３】
【特許文献１】特開２０１０−０７３２２９号公報
【発明の概要】
【発明が解決しようとする課題】
【０００４】
スリムタイプやウルトラスリムタイプのようないわゆる薄型の光ピックアップ装置では、所定高さ（12.7mmや9.5mm）のハウジング内に、レンズやミラー等の光学部品の他、これらの光学部品を用いて光ディスクに対する情報の記録や読み出しを行なうためのレーザユニット等の電子部品、さらに、各電子部品を電気的に接続するための導電路が形成されたフレキシブルプリント基板（以下、ＦＰＣ（Flexible Printed Circuit）とも記載する）等が高密度に収納されて構成される。
【０００５】
これらのレーザユニットや光学部品は、ハウジング内に組み付けられた後に光軸合わせが行なわれる。この光軸合わせの際には、光ピックアップ装置が所定の検査装置に接続され、そしてこの検査装置から出力される制御信号によりレーザユニットからレーザ光を発光する。
【０００６】
ところで、光ピックアップ装置と上記検査装置との接続は、光ピックアップ装置が有するＦＰＣを検査装置のコネクタに接続することにより行なわれるが、ＦＰＣは厚さ数十マイクロメートル程度の樹脂フィルムにより構成されているため、検査装置へ着脱する際に傷や損傷を生じる可能性を排除することは困難である。またＦＰＣを検査装置のコネクタに接続するための作業時間や取り外すための作業時間も生じる。
【０００７】
このため、光ピックアップ装置の光軸合わせ作業を効率化することが可能な技術が求められている。
【０００８】
本発明は上記課題を鑑みてなされたものであり、光ピックアップ装置の光軸合わせ作業を効率化することを可能にすることを一つの目的とする。
【課題を解決するための手段】
【０００９】
一つの側面に係る光ピックアップ装置は、底面及び前記底面を囲む側面を有し、上面が開放されたハウジングと、前記ハウジング内に装着され、光ディスクに対する情報の記録及び読み出しを行なうためのレーザ光を前記底面に沿った方向に発光するレーザユニットと、前記ハウジング内に装着され、前記レーザ光の光路上に配置される光学部品と、前記レーザユニットの制御を行う制御回路に接続されるコネクタと、前記制御回路から出力される制御信号に応じて前記レーザユニットに前記レーザ光を発光させるための駆動信号を出力するレーザドライバと、前記レーザユニットに前記上面の側から重なるように前記ハウジングに装着されると共に、前記コネクタから前記レーザドライバへ前記制御信号を伝達する第１導電路と、前記レーザドライバから前記レーザユニットに前記駆動信号を伝達する第２導電路と、が形成されたリジッド基板と、を備え、前記リジッド基板は、さらに、前記ハウジングの前記底面に相対する第１の面とは反対側の第２の面に、前記第２導電路に導通し、前記駆動信号を入力するための端子を有して構成される。
【００１０】
その他、本願が開示する課題、及びその解決方法は、発明を実施するための形態の欄の記載、及び図面の記載等により明らかにされる。
【発明の効果】
【００１１】
光ピックアップ装置の光軸合わせ作業を効率化することが可能になる。
【図面の簡単な説明】
【００１２】
【図１】光ピックアップ装置の外観構成を示す図である。
【図２】光ピックアップ装置の内部構成を示す図である。
【図３】光ピックアップ装置の内部構成を示す図である。
【図４】光ピックアップ装置の光学系を説明するための図である。
【図５】光ピックアップ装置の光学系を説明するための図である。
【図６】レーザユニットの外観構成を示す図である。
【図７】レーザ光の発生回路を示す図である。
【図８】レーザドライバを示す図である。
【図９】リジッド基板に形成される端子を示す図である。
【発明を実施するための形態】
【００１３】
本明細書および添付図面の記載により、少なくとも以下の事項が明らかとなる。
【００１４】
＝＝光ピックアップ装置の全体構成＝＝
本発明の実施形態における光ピックアップ装置１０００の外観構成を図１に示す。また光ピックアップ装置１０００の分解斜視図を図２に示す。また光ピックアップ装置１０００の内部構成を図３に示す。また光ピックアップ装置１０００の光学系の構成を図４及び図５に示す。
【００１５】
光ピックアップ装置１０００は、光ディスク５に所定波長のレーザ光を照射することにより、光ディスク５に記録されている信号の読み出し動作や光ディスク５に信号の記録動作を行う装置である。
【００１６】
光ディスク５は、例えばＢＤ（Blu-ray（登録商標、以下同様））規格の光ディスク、ＤＶＤ（Digital Versatile Disc）規格の光ディスク、ＣＤ（Compact Disc）規格の光ディスク等である。
【００１７】
詳細は後述するが、本実施形態に係る光ピックアップ装置１０００は、図１及び図２に示すように、底面と、底面を囲む側面と、を有すると共に、上面が開放されたハウジング３００内の所定位置に、レーザ光を発光するレーザユニット１００や、複合光学素子２１０、偏光ビームスプリッタ２２０、１／４波長板２３０、コリメートレンズ２４０、反射ミラー２５０、ＡＳ（AStigmatism）板２７０、対物レンズ駆動装置４００、第１放熱板５００、第２放熱板６００、プリント基板７００等を収容した上で、ハウジング３００の上面にカバー８００を装着し、カバー８００とハウジング３００とをビス３０１で固定して構成される。
【００１８】
第１放熱板５００及び第２放熱板６００は、レーザユニット１００や、後述するレーザドライバ１８０等の発熱源から発生する熱を効果的に取り入れて放熱するための金属板である。
【００１９】
またプリント基板７００は、図２に示されるように、リジッド基板で構成されるリジッド基板部７１０と、フレキシブルプリント基板（ＦＰＣ）で構成されるフレキシブル基板部７２０とを有して構成されている。リジッド基板部７１０及びフレキシブル基板部７２０は、それぞれに導電路が形成されているが、各導電路は電気的に適宜接続されており、プリント基板７００全体で統一的な導電路となるように形成されている。
【００２０】
またリジッド基板部７１０にはコネクタ７３０が装着されている。コネクタ７３０には、プリント基板７００に形成される各導電路とそれぞれ結合される端子が設けられている。図１に示すように、コネクタ７３０には、光ピックアップ装置１０００の制御回路が形成される光ディスク装置内のリジッド型プリント基板のメイン基板２０００に電気的に接続されるフレキシブルプリント基板である制御回路用ＦＰＣ２１００が着脱自在に接続される。
【００２１】
またフレキシブル基板部７２０には、図２に示すように、後述する光検出器２８０やフロントモニタ受光検出器２９０が接続される。光検出器２８０及びフロントモニタ受光検出器２９０は、レーザユニット１００から出射されたレーザ光を受光する光センサを有して構成されている。光検出器２８０及びフロントモニタ受光検出器２９０は、検出したレーザ光の強度に応じた信号を、コネクタ７３０に接続された制御回路用ＦＰＣ２１００を介して、メイン基板２０００に伝達する。
【００２２】
また図２に示すように、プリント基板７００は、レーザユニット１００に重なるように、ハウジング３００の上面の側からハウジング３００に装着される。そしてリジッド基板部７１０にはレーザユニット１００と対面する部分に基板開口部７１１が形成されており、この基板開口部７１１にレーザユニット１００が挿入されるように、リジッド基板部７１０が装着される。
【００２３】
ハウジング３００は、底面と、底面を囲む側面と、を有すると共に、上面が開放されており、例えばマグネシウム合金等の金属、あるいはＰＰＳ（ポリフェニレンサルファイド）等の合成樹脂により形成される。
【００２４】
なお図１において、Ｚ軸は光ディスク５の回転中心軸５０の方向に沿う軸であり、光ピックアップ装置１０００から光ディスク５に向かう向きを＋Ｚ方向とする。Ｘ軸は光ディスク５の中心から外周に向かう向きのうち、光ピックアップ装置１０００が光ディスク５のトラッキング方向に移動する方向に沿う軸であり、光ディスク５の中心から離れる方向を＋Ｘ方向とする。Ｙ軸は、Ｚ軸及びＸ軸に直交する軸であり、光ディスク５のタンジェンシャル方向に沿った軸である。
【００２５】
＝＝光学系＝＝
本実施形態における光ピックアップ装置１０００の光学系について、図３〜図５を参照しながら説明する。
【００２６】
本実施形態の光ピックアップ装置１０００は、一例として、ＤＶＤ規格の光ディスク５及びＣＤ規格の光ディスク５に対して記録や再生を行う。
【００２７】
そのため、レーザユニット１００は、ＤＶＤ規格の光ディスク５に対する記録、再生を行なう場合には、ＤＶＤ規格に対応した赤色波長帯（６４５ｎｍ〜６７５ｎｍ）のうち例えば６５５ｎｍの波長（第１波長）のレーザ光（第１レーザ光とも記す）を出射し、ＣＤ規格の光ディスク５に対する記録、再生を行なう場合には、ＣＤ規格に対応した赤外波長帯（７６５ｎｍ〜８０５ｎｍ）のうち例えば７８５ｎｍの波長（第２波長）のレーザ光（第２レーザ光とも記す）を出射する。つまりレーザユニット１００は、波長が異なる２種類のレーザ光（第１レーザ光、第２レーザ光）のうちのいずれか一方を選択的に出射する。
【００２８】
レーザユニット１００は、メイン基板２０００から出力される制御信号に従って、第１レーザ光あるいは第２レーザ光のいずれか一方を選択的に出力する。
【００２９】
レーザユニット１００から出射されたレーザ光は、光ピックアップ装置１０００のハウジング３００内に収容される各種光学部品２００（２１０〜２９０）により、対物レンズ２６０から光ディスク５に照射された後、その反射光が光検出器２８０に導かれる。
【００３０】
本実施形態における光ピックアップ装置１０００の光学系を構成する光学部品２００がハウジング３００に収容される様子を図３に示す。
【００３１】
具体的には、図３には、ハウジング３００内に、レーザユニット１００、複合光学素子２１０、偏光ビームスプリッタ２２０、１／４波長板２３０、コリメートレンズ２４０、反射ミラー２５０（図３には不図示）、対物レンズ２６０、ＡＳ板２７０、光検出器２８０、及びフロントモニタ受光検出器２９０が装着されている様子が示されている。
【００３２】
本実施形態における光ピックアップ装置１０００の光学系を図４、図５を参照しながら説明する。
【００３３】
レーザユニット１００は、上述したように、ＤＶＤ規格の光ディスク５に照射する赤色波長帯（６４５ｎｍ〜６７５ｎｍ）のうち例えば６５５ｎｍの波長と、ＣＤ規格の光ディスク５に照射する赤外波長帯（７６５ｎｍ〜８０５ｎｍ）のうち例えば７８５ｎｍの波長のように、波長が異なる２種類のレーザ光のうちのいずれか一方を選択的に発生する。
【００３４】
レーザユニット１００は、後述するレーザチップ１１０を有して構成されている。そしてレーザチップ１１０に、第１レーザ光を発生する第１発光部を有する第１レーザダイオード１１１と、第２レーザ光を発生する第２発光部を有する第２レーザダイオード１１２とが形成されている。
【００３５】
レーザユニット１００から選択的に出射された第１あるいは第２レーザ光は、複合光学素子２１０に入射される。複合光学素子２１０は、１／２波長板２１１と回折格子２１２とを備える。
【００３６】
１／２波長板２１１は、レーザユニット１００から出射されたレーザ光を、例えば偏光ビームスプリッタ２２０に対してＳ偏光の直線偏光に変換する。
【００３７】
回折格子２１２は、レーザユニット１００から出射されたレーザ光を、０次光ビームと、＋１次回折光ビームと、−１次回折光ビームとの３ビームに分離する。
【００３８】
偏光ビームスプリッタ２２０は、例えば、赤色波長帯及び赤外波長帯のＳ偏光のレーザ光の大部分を反射し、赤色波長帯及び赤外波長帯のＳ偏光のレーザ光の一部を透過する。また偏光ビームスプリッタ２２０は、例えば、赤色波長帯及び赤外波長帯のＰ偏光のレーザ光の大部分を透過する。
【００３９】
そのため、偏光ビームスプリッタ２２０は、複合光学素子２１０から入射する赤色波長帯又は赤外波長帯のＳ偏光のレーザ光の大部分を１／４波長板２３０の方向に反射し、一部をフロントモニタ受光検出器２９０の方向に透過する。
【００４０】
フロントモニタ受光検出器２９０は、偏光ビームスプリッタ２２０を透過したレーザ光を受光して、レーザユニット１００から出射されるレーザ光の強度を調整するために用いられる光学部品である。フロントモニタ受光検出器２９０は、検出したレーザ光の強度に応じて変化するモニタ信号を、フレキシブル基板部７２０及びリジッド基板部７１０に形成される導電路を経由してコネクタ７３０の所定の端子に出力する。そしてモニタ信号は、コネクタ７３０に接続された制御回路用ＦＰＣ２１００を経由して、メイン基板２０００に伝達される。
【００４１】
メイン基板２０００の制御回路は、このモニタ信号に基づいて、レーザユニット１００から出力されるレーザ光が所定強度になるように制御信号を出力する。この制御信号は、メイン基板２０００から制御回路用ＦＰＣ２１００を経由してコネクタ７３０の所定端子に入力され、リジッド基板部７１０に装着されているレーザドライバ１８０（詳しくは後述する）を経由してレーザユニット１００に入力される。
【００４２】
１／４波長板２３０は、偏光ビームスプリッタ２２０から入射するレーザ光を、Ｓ偏光の直線偏光から円偏光に変換する。又１／４波長板２３０は、コリメータレンズ２４０から入射するレーザ光の戻り光を、円偏光からＰ偏光の直線偏光に変換する。
【００４３】
コリメートレンズ２４０は、１／４波長板２３０から拡散光として入射するレーザ光を平行光に変換する。
【００４４】
反射ミラー２５０は、コリメートレンズ２４０から入射するレーザ光を、対物レンズ２６０の方向に反射する。又、反射ミラー２５０は、対物レンズ２６０から入射するレーザ光の戻り光をコリメートレンズ２４０の方向に反射する。
【００４５】
対物レンズ２６０は、反射ミラー２５０から入射したレーザ光を、光ディスク５の記録面における信号記録層に集光する。
【００４６】
対物レンズ２６０は、図２に示すように、対物レンズ駆動装置４００に保持されている。対物レンズ駆動装置４００は、アクチュエータ４１０及びレンズホルダ４２０を備えており、光ピックアップ装置１０００を制御するメイン基板２０００の制御回路から送信される制御信号に基づいて、アクチュエータ４１０がレンズホルダ４２０の位置や向きを制御することで、レンズホルダ４２０に装着される対物レンズ２６０を通過するレーザ光が光ディスク５の信号記録層に適切に照射されるようにフォーカシング制御やトラッキング制御等の制御を行なう。
【００４７】
光ディスク５の信号記録層で反射したレーザ光の戻り光は、対物レンズ２６０によって平行光に変換された後、反射ミラー２５０を介してコリメートレンズ２４０を透過し、１／４波長板２３０によって円偏光からＰ偏光の直線偏光に変換される。
【００４８】
Ｐ偏光となったレーザ光の戻り光は、偏光ビームスプリッタ２２０を透過してＡＳ板２７０に入射する。
【００４９】
ＡＳ板２７０は、偏光ビームスプリッタ２２０を透過したレーザ光の戻り光に非点収差を発生させて光検出器２８０に集光させる。ＡＳ板２７０は、例えば平行平板を非点収差の発生方向を考慮した所定方向に傾けて構成されている。
【００５０】
光検出器２８０は、ＡＳ板２７０から入射されるレーザ光の戻り光を検出する。光検出器２８０は、回折格子２１２により３ビームに分離されたレーザ光の戻り光をそれぞれ受光する受光部を備えて構成されており、光ディスク５の信号記録層に記録されている情報の読み取りを行うための再生信号や、フォーカシング制御を行うためのフォーカスエラー信号、トラッキング制御を行うためのトラッキングエラー信号の生成を行う。これらの再生信号、フォーカスエラー信号、トラッキングエラー信号は、メイン基板２０００に伝達される。
【００５１】
以上のようにして、本実施形態の光ピックアップ装置１０００は、ＤＶＤの記録及び再生に対応すると共に、ＣＤの記録及び再生にも対応することができる。
【００５２】
＝＝レーザユニット＝＝
次に、図６を参照して本実施形態に係るレーザユニット１００について詳細に説明する。  
本実施形態に係るレーザユニット１００は、図６に示すように、フレーム部１２０と、樹脂モールド部１３０と、レーザチップ１１０と、サブマウント１５０と、第１入力端子１４１と、第２入力端子１４２と、第３入力端子１４３と、を有して構成されている。
【００５３】
なお、フレーム部１２０と、樹脂モールド部１３０と、レーザチップ１１０と、サブマウント１５０と、をまとめて本体部とも記す。この場合、レーザユニット１００は、本体部からレーザ光が発光されると共に、本体部から第１入力端子１４１、第２入力端子１４２、第３入力端子１４３が延伸する構造となる。
【００５４】
フレーム部１２０は金属製の略平板状の板により構成されており、誘電体により構成されるサブマウント１５０が貼付されている。そしてこのサブマウント１５０にはレーザチップ１１０が固定される。なおフレーム部１２０は、第２入力端子１４２を介して接地されている。
【００５５】
レーザチップ１１０は、例えばＧａＡｓ（ガリウム砒素）の結晶基板上に、第１レーザ光を発光する第１レーザダイオード１１１と、第２レーザ光を発光する第２レーザダイオード１１２とが形成されて構成される。そしてレーザチップ１１０は、第１レーザ光及び第２レーザ光を、ハウジング３００の底面に沿った方向に選択的に発光する。
【００５６】
第１入力端子１４１及び第３入力端子１４３は、レーザドライバ１８０から出力されるレーザユニット１００の駆動信号を入力する入力端子である。第２入力端子１４２は接地されている。
【００５７】
また第１入力端子１４１、第２入力端子１４２、及び第３入力端子１４３は、樹脂モールド部１３０から、レーザ光の発光方向とは反対方向にそれぞれ延伸している。
【００５８】
また、レーザユニット１００がハウジング３００に装着され、その後にリジッド基板部７１０がレーザユニット１００に重なるようにハウジング３００に装着されるが、その際に、レーザユニット１００の第１入力端子１４１、第２入力端子１４２及び第３入力端子１４３は、それぞれリジッド基板部７１０に形成されている導電路に半田付けされる。そして第１入力端子１４１及び第３入力端子１４３は、制御回路用ＦＰＣ２１００を介してメイン基板２０００と導電可能に接続され、第２入力端子１４２は接地される。
【００５９】
レーザユニット１００は、レーザドライバ１８０から第１駆動信号が第１入力端子１４１及び第２入力端子１４２間に入力されると、第１レーザダイオード１１１から赤色波長帯の第１レーザ光を出射する。またレーザユニット１００は、レーザドライバ１８０から第２駆動信号が第３入力端子１４３及び第２入力端子１４２間に入力されると、第２レーザダイオード１１２から赤外波長帯の第２レーザ光を出射する。
【００６０】
なお、第１駆動信号及び第２駆動信号は、レーザユニット１００から第１レーザ光及び第２レーザ光を発光させるための所定電圧の信号である。
【００６１】
樹脂モールド部１３０は、フレーム部１２０の両面の一部を覆うように形成される合成樹脂である。樹脂モールド部１３０は、第１入力端子１４１及び第３入力端子１４３を固定すると共に、第１入力端子１４１とフレーム部１２０との間、第３入力端子１４３とフレーム部１２０との間をそれぞれ絶縁する。
【００６２】
また樹脂モールド部１３０は、レーザチップ１１０の周囲において、レーザ光が発光される方向を除く３方を囲むように壁面を形成している。
【００６３】
なお上述したように、第２入力端子１４２とフレーム部１２０との間は導電可能に接続されており、例えば第２入力端子１４２とフレーム部１２０とは一体的に形成される。
【００６４】
次に図７を参照して、レーザユニット１１０及びレーザドライバ１８０について説明する。
【００６５】
図７に示すように、レーザユニット１１０及びレーザドライバ１８０はリジッド基板部７１０上に半田付けにより装着されている。そしてレーザユニット１１０及びレーザドライバ１８０は、リジッド基板部７１０に形成されている導電路により接続され、レーザ光を発光させるための回路を構成している。なおレーザドライバ１８０がリジッド基板部７１０に装着されている様子を図８に示す。
【００６６】
レーザドライバ１８０は、メイン基板２０００から出力される制御信号に応じて、レーザユニット１００にレーザ光を発光させるための駆動信号を出力する。
【００６７】
より詳しくは、レーザドライバ１８０は、メイン基板２０００から出力される第１制御信号に応じて、レーザユニット１００から第１レーザ光を発光させるための第１駆動信号を出力し、メイン基板２０００から出力される第２制御信号に応じて、レーザユニット１００から第２レーザ光を発光させるための第２駆動信号を出力する。
【００６８】
またレーザユニット１００は、レーザドライバ１８０から出力される駆動信号に応じて、光ディスク５に対する情報の記録及び読み出しを行なうためのレーザ光を、ハウジング３００の底面に沿った方向に発光する。
【００６９】
より詳しくは、レーザユニット１００は、レーザドライバ１８０から出力される第１駆動信号に応じて、第１レーザダイオード１１１から第１波長の第１レーザ光を発光し、レーザドライバ１８０から出力される第２駆動信号に応じて、第１波長よりも長い第２波長の第２レーザ光を第２レーザダイオード１１２から発光する。
【００７０】
また、リジッド基板部７１０に装着されるコネクタ７３０は、レーザユニット１００の制御を行うメイン基板２０００に接続され、メイン基板２０００から出力される上記第１制御信号や第２制御信号をレーザドライバ１８０に伝達する。
【００７１】
なお、リジッド基板部７１０には、コネクタ７３０からレーザドライバ１８０へ第１制御信号を伝達する第１導電路７５１と、レーザドライバ１８０からレーザユニット１００に第１駆動信号を伝達する第２導電路７５２と、が形成されてなる。
【００７２】
さらに、リジッド基板部７１０には、コネクタ７３０からレーザドライバ１８０へ第２制御信号を伝達する第５導電路７５５と、レーザドライバ１８０からレーザユニット１００に第２駆動信号を伝達する第６導電路７５６と、が形成されてなる。
【００７３】
さらに、リジッド基板部７１０には、レーザユニット１００にグランド電圧を提供する第３導電路７５３や、レーザドライバ１８０を機能させるための電源電圧をレーザドライバ１８０に提供する第４導電路７５４が形成されてなる。
【００７４】
上述した様に、メイン基板２０００はレーザ光を発光させる際に所定の制御信号を出力するが、この制御信号は、リジッド基板部７１０上のレーザドライバ１８０を介してレーザユニット１００に入力される。
【００７５】
具体的には、まずレーザドライバ１８０は、コネクタ７３０を介して電源電圧が印加されることで機能を開始する。
【００７６】
そしてメイン基板２０００が第１レーザ光を発光させるために第１制御信号を出力すると、この第１制御信号がレーザドライバ１８０に入力される。そしてレーザドライバ１８０がレーザユニット１００の第１入力端子１４１及び第２入力端子１４２間に第１駆動信号を出力する。そうすると、レーザユニット１００は第１レーザダイオード１１１から第１レーザ光を出射する。
【００７７】
またメイン基板２０００が第２レーザ光を発光させるために第２制御信号を出力すると、この第２制御信号がレーザドライバ１８０に入力される。そしてレーザドライバ１８０がレーザユニット１００の第３入力端子１４３及び第２入力端子１４２間に第２駆動信号を出力する。そうすると、レーザユニット１００は第２レーザダイオード１１２から第２レーザ光を出射する。
【００７８】
このように、本実施形態の光ピックアップ装置１０００は、レーザユニット１００とレーザドライバ１８０とを用いることでレーザ光の発光を行う。このため、本実施形態のレーザユニット１００及びレーザドライバ１８０は、レーザ光発生素子として機能する。
【００７９】
また、本実施形態に係るリジッド基板部７１０は、図７に示すように、第１端子７４１、第２端子７４２、第３端子７４３（以下、まとめてレーザ点灯用端子７４０とも記す）が形成されている。
【００８０】
これらのレーザ点灯用端子７４１、７４２、７４３は、図９に示すように、リジッド基板部７１０の、ハウジング３００の底面に相対する面（第１の面）とは反対側の面（第２の面、すなわちカバー８００と相対する面）に形成されている。
【００８１】
レーザ点灯用端子７４１、７４２、７４３は、リジッド基板部７１０の第２の面の表面に形成されたランド等の導電パターンにより形成される。
【００８２】
第１端子７４１は、レーザドライバ１８０から出力される第１駆動信号をレーザユニット１００に伝達する第２導電路７５２に導通するように形成されている。
【００８３】
第２端子７４２は、レーザユニット１００にグランド電圧を提供する第３導電路７５３に導通するように形成されている。
【００８４】
そして第３端子７４３は、レーザドライバ１８０を機能させるための電源電圧をレーザドライバ１８０に提供する第４導電路７５４に導通するように形成されている。
【００８５】
＝＝光軸合わせ＝＝
上述したように、光ピックアップ装置１０００を製造する際には、ハウジング３００内に、レーザユニット１００や複合光学素子２１０等の各種光学部品２００（２１０〜２９０）が組み付けられた後に、これらの光軸合わせが行なわれる。
【００８６】
光軸合わせを行なう際には、ハウジング３００内のレーザユニット１００から実際にレーザ光を発光する必要があるが、本実施形態に係る光ピックアップ装置１０００は、図７や図９に示すように、リジッド基板部７１０にレーザ点灯用端子７４１、７４２、７４３が形成されている。
【００８７】
そのため本実施形態に係る光ピックアップ装置１０００では、これらのレーザ点灯用端子７４１、７４２、７４３を用いてレーザユニット１００に駆動信号を入力することにより、レーザ光を発光させるための検査装置等に光ピックアップ装置１０００を接続することなく、レーザユニット１００からレーザ光を発光させて光軸合わせの作業を行なうことができる。
【００８８】
具体的には、光軸合わせ作業の際に、リジッド基板部７１０の第１端子７４１に第１駆動信号を入力することにより、レーザユニット１００から第１レーザ光を発光させることができる。
【００８９】
これにより、光ピックアップ装置１０００の光軸合わせ作業を容易化できると共に、作業時間の短縮化も図ることが可能となる。
【００９０】
また本実施形態に係るレーザユニットは、第１波長の第１レーザ光と、第１波長よりも長い第２波長を有する第２レーザ光と、を発光可能であるが、波長の短い第１レーザ光の方が光軸のズレに対する許容度が小さい。そのため、本実施形態のように波長の短い第１レーザ光を用いて光軸合わせを行なうことにより、第１レーザ光を用いた光ディスク５の記録再生処理の品質を維持すると共に、第２レーザ光を用いた光軸あわせ作業を不要とし、光軸合わせの作業負荷を軽減することが可能となる。
【００９１】
また、光軸合わせ作業は、第３端子７４３にレーザドライバ１８０の電源電圧を印加し、レーザドライバ１８０を機能させた状態で行なうことがより好ましい。
【００９２】
すなわち、レーザドライバ１８０に電源電圧を印加しておくことにより、レーザドライバ１８０の内部回路を働かせた状態にし、レーザドライバ１８０の第１端子７４１の出力インピーダンスを高く保持できるので、第１端子７４１及び第２端子７４２間に入力する第１駆動信号を確実にレーザユニット１００の第１端子１４１及び第２端子１４２間に供給することができ、確実に第１レーザダイオード１１１を発光させて光軸合わせ作業を行なうことができる。また、レーザドライバ１８０を動作状態にすることにより、レーザドライバ１８０を破損させることを防止することが可能となる。
【００９３】
さらに、図示はしていないが、レーザユニット１００の第３入力端子１４３に第２駆動信号を伝達するための第６導電路７５６に導通する第４端子７４４をリジッド基板部７１０に形成するようにしても良い。
【００９４】
このようにすれば、リジッド基板部７１０の第４端子７４４及び第２端子７４２間に第２駆動信号を入力することにより、レーザユニット１００の第２レーザダイオード１１２から第２レーザ光を発光させることができる。
【００９５】
これにより第２レーザ光を用いて光ピックアップ装置１０００の光軸合わせ作業を行なう場合の光軸合わせ作業を容易化できると共に、作業時間の短縮化も図ることが可能となる。
【００９６】
また光ピックアップ装置１０００の光軸合わせ作業を、第１レーザ光を用いて行なうのでなく、第２レーザ光を用いて行なうことが可能となる。この場合は、第２レーザ光による光ディスク５の記録、再生の品質を向上させることが可能となる。
【００９７】
なお上述したように、本実施形態の光ピックアップ装置１０００は、リジッド基板部７１０を覆うように、カバー８００がハウジング３００に装着されて構成される。
【００９８】
このため、ハウジング３００にカバー８００が装着された後は、レーザ点灯用端子７４１、７４２、７４３を外部に露出させないようにできるため、例えば金属片等の異物がレーザ点灯用端子７４１、７４２、７４３に接触してレーザユニット１００やレーザドライバ１８０を誤動作させるような不具合を生じさせないようにすることも可能となる。
【００９９】
以上、本実施形態に係る光ピックアップ装置１０００について説明したが、本実施形態に係る光ピックアップ装置１０００によれば、光ピックアップ装置１０００の光軸合わせ作業を効率化することが可能になる。
【０１００】
なお上記実施形態では、レーザユニット１００の一例として、ＤＶＤ及びＣＤに対応した２波長レーザの場合について説明したが、青紫色波長帯395nm〜420nmのレーザ光（例えば405nm）を用いたBlu-ray Disc（登録商標）規格にも適合させた３波長レーザでも良いし、それらのうちのいずれか１つあるいは２つに対応した１波長レーザあるいは２波長レーザでも良い。
【０１０１】
また上記実施形態では、一例としてスリムタイプ（高さ12.7mm）またはウルトラスリムタイプ（高さ9.5mm）の光ピックアップ装置１０００について説明したが、それ以外の厚さ（例えばより薄型）の光ピックアップ装置１０００であっても良い。
【０１０２】
以上、前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【符号の説明】
【０１０３】
５        光ディスク
５０      回転軸
１００    レーザユニット
１１０    レーザチップ
１１１    第１レーザダイオード
１１２    第２レーザダイオード
１２０    フレーム部
１３０    樹脂モールド部
１４０    入力端子
１４１    第１入力端子
１４２    第２入力端子
１４３    第３入力端子
１５０    サブマウント
１８０    レーザドライバ
２００    光学部品
２１０    複合光学素子
２１１    １／２波長板
２１２    回折格子
２２０    偏光ビームスプリッタ
２３０    １／４波長板
２４０    コリメートレンズ
２５０    反射ミラー
２６０    対物レンズ
２７０    ＡＳ板
２８０    光検出器
２９０    フロントモニタ受光検出器
３００    ハウジング
３０１    ビス
４００    対物レンズ駆動装置
４１０    アクチュエータ
４２０    レンズホルダ
５００    第１放熱板
６００    第２放熱板
７００    プリント基板
７１０    リジッド基板部
７１１    基板開口部
７２０    フレキシブル基板部
７３０    コネクタ
７４０    レーザ点灯用端子
７４１    第１端子
７４２    第２端子
７４３    第３端子
７５１    第１導電路
７５２    第２導電路
７５３    第３導電路
７５４    第４導電路
７５５    第５導電路
７５６    第６導電路
８００    カバー
１０００  光ピックアップ装置
２０００  メイン基板
２１００  制御回路用ＦＰＣ
【図１】
2014017028.tif 000003
【図２】
2014017028.tif 000004
【図３】
2014017028.tif 000005
【図４】
2014017028.tif 000006
【図５】
2014017028.tif 000007
【図６】
2014017028.tif 000008
【図７】
2014017028.tif 000009
【図８】
2014017028.tif 000010
【図９】
2014017028.tif 000011